(57)【要約】【課題】画素回路を複雑にすることなく、滅点補正をすることの可能な表示装置および電子機器を提供する。【解決手段】表示装置は、発光色の互いに異なる４種類以上の副画素を画素ごとに有する表示パネルと、副画素を駆動する駆動回路とを備えている。駆動回路は、映像信号に基づくパルスを各副画素に印加すると共に、滅点の副画素が存在する場合にその副画素に隣接または近接する複数の副画素に対して滅点を補う補正のなされたパルスを印加するようになっている。【選択図】図１
2013120321.tif 000002
【特許請求の範囲】
【請求項１】
発光色の互いに異なる４種類以上の副画素を画素ごとに有する表示パネルと、
映像信号に基づくパルスを各副画素に印加すると共に、滅点の副画素が存在する場合にその副画素に隣接または近接する複数の副画素に対して滅点を補う補正のなされたパルスを印加する駆動回路と
を備えた
表示装置。
【請求項２】
前記駆動回路は、滅点の副画素に隣接または近接すると共に、滅点を補う補正のなされたパルスが印加される複数の副画素の合計輝度が滅点を補う大きさとなるように補正のなされたパルスを、滅点の副画素に隣接または近接する複数の副画素に対して印加する
請求項１に記載の表示装置。
【請求項３】
前記駆動回路は、滅点の副画素に隣接または近接すると共に、滅点を補う補正のなされたパルスが印加される複数の副画素の合計輝度が当該滅点の副画素が発光可能であった場合の当該副画素の発光輝度と同一またはほぼ同一となるように補正のなされたパルスを、滅点の副画素に隣接または近接する複数の副画素に対して印加する
請求項２に記載の表示装置。
【請求項４】
各画素は、４種類以上の副画素として、色光３原色を個別に発する３つの第１副画素と、加法混色により得られる色光を発する１または複数の第２副画素とを有する
請求項２に記載の表示装置。
【請求項５】
前記駆動回路は、滅点を含む領域で前記第１副画素を用いて単色表示をさせている時に、滅点の副画素に隣接または近接する複数の第２副画素に対して前記補正のなされたパルスを印加する
請求項４に記載の表示装置。
【請求項６】
前記駆動回路は、滅点を含む領域で前記第２副画素を用いて単色表示をさせている時に、滅点の副画素に隣接または近接する複数の第１副画素に対して前記補正のなされたパルスを印加する
請求項４に記載の表示装置。
【請求項７】
前記駆動回路は、滅点を含む領域で１つの種類の第１副画素と１つの種類の第２副画素とを用いて単色表示をさせている時に、滅点の副画素に隣接または近接するとともに前記単色表示に不使用の複数の第１副画素に対して前記補正のなされたパルスを印加する
請求項４に記載の表示装置。
【請求項８】
前記表示パネルに含まれる複数の画素が２次元配置され、かつ各画素においても、複数の副画素が２次元配置されている
請求項１に記載の表示装置。
【請求項９】
前記複数の副画素は、同一種類の副画素同士が互いに隣接しないように配置されている
請求項８に記載の表示装置。
【請求項１０】
前記表示パネルに含まれる複数の画素が行方向および列方向に２次元配置され、かつ各画素において、複数の副画素が行方向に配列され、
前記駆動回路は、滅点の副画素が存在する場合に、前記滅点の副画素を行方向から挟み込む複数の副画素に対して滅点を補う補正のなされたパルスを印加する
請求項１に記載の表示装置。
【請求項１１】
表示装置を備え、
前記表示装置は、
発光色の互いに異なる４種類以上の副画素を画素ごとに有する表示パネルと、
映像信号に基づくパルスを各副画素に印加すると共に、滅点の副画素が存在する場合にその副画素に隣接または近接する複数の副画素に対して滅点を補う補正のなされたパルスを印加する駆動回路と
を有する
電子機器。
【発明の詳細な説明】
【技術分野】
【０００１】
本技術は、滅点補正機能が搭載された表示装置および電子機器に関する。
【背景技術】
【０００２】
近年、画像表示を行う表示装置の分野では、画素の発光素子として、流れる電流値に応じて発光輝度が変化する電流駆動型の光学素子、例えば有機ＥＬ素子を用いた表示装置が開発され、商品化が進められている（例えば、特許文献１参照）。有機ＥＬ素子は、液晶素子などと異なり自発光素子である。そのため、有機ＥＬ素子を用いた表示装置（有機ＥＬ表示装置）では、光源（バックライト）が必要ないので、光源を必要とする液晶表示装置と比べて画像の視認性が高く、消費電力が低く、かつ素子の応答速度が速い。
【０００３】
有機ＥＬ表示装置では、液晶表示装置と同様、その駆動方式として単純（パッシブ）マトリクス方式とアクティブマトリクス方式とがある。前者は、構造が単純であるものの、大型かつ高精細の表示装置の実現が難しいなどの問題がある。そのため、現在では、アクティブマトリクス方式の開発が盛んに行なわれている。この方式は、画素ごとに配した発光素子に流れる電流を、発光素子ごとに設けた駆動回路内に設けた能動素子（一般にはＴＦＴ(Thin Film Transistor;薄膜トランジスタ)）によって制御するものである。
【０００４】
ところで、有機ＥＬ素子は、アノード電極とカソード電極との間に、発光層を含む有機膜を挟持した構造となっている。このような構造の有機ＥＬ素子を画素の発光素子として用いた有機ＥＬ表示装置において、当該有機ＥＬ素子を形成する工程で異物が混入すると、画素の輝度欠陥が発生する。具体的には、製造工程で混入する異物が原因となって有機ＥＬ素子のアノード電極とカソード電極との間で電極間ショートが引き起こされる場合がある。この有機ＥＬ素子の電極間ショートが発生すると有機ＥＬ素子が発光しなくなるために、当該有機ＥＬ素子を含む副画素が非発光画素として視認されるいわゆる滅点と呼称される輝度欠陥が発生する。
【０００５】
この異物混入に起因する輝度欠陥に対する対策として、従来、１つの副画素内に、有機ＥＬ素子を含む画素構成素子を複数組設ける技術が提案されている（例えば、特許文献１参照）。この技術によれば、いずれかの組の有機ＥＬ素子が電極間ショート等で欠陥化しても、他の組の画素構成素子が正常に動作することで副画素の滅点化を防ぐことができる。
【先行技術文献】
【特許文献】
【０００６】
【特許文献１】特開２００７−４１５７４号公報
【発明の概要】
【発明が解決しようとする課題】
【０００７】
しかし、上記の対策では、画素回路が複雑になってしまう。そこで、画素回路を改変する代わりに、滅点の周囲の副画素の発光輝度を上げることが考えられる。例えば、ＲＧＢストライプ配列の表示パネルにおいて、赤色光を発する１つの副画素が非発光となった場合に、白表示をすると、観察者には、非発光の副画素に対応する位置に、エメラルドグリーンのドット状の滅点が見える。このときに、滅点を取り囲む複数の副画素の発光輝度を上げたとしても、滅点の周囲の白輝度が高くなるだけで、滅点が逆に目立ってしまいかねない。従って、単に、滅点の周囲の副画素の発光輝度を上げるだけでは、滅点対策にはならない。
【０００８】
本技術はかかる問題点に鑑みてなされたものであり、その目的は、画素回路を複雑にすることなく、滅点補正をすることの可能な表示装置および電子機器を提供することにある。
【課題を解決するための手段】
【０００９】
本技術による表示装置は、発光色の互いに異なる４種類以上の副画素を画素ごとに有する表示パネルと、副画素を駆動する駆動回路とを備えている。駆動回路は、映像信号に基づくパルスを各副画素に印加すると共に、滅点の副画素が存在する場合にその副画素に隣接または近接する複数の副画素に対して滅点を補う補正のなされたパルスを印加するようになっている。本技術による電子機器は、上記の表示装置を備えている。
【００１０】
本技術による表示装置および電子機器では、発光色の互いに異なる４種類以上の副画素が画素ごとに設けられている。これにより、滅点の副画素が存在する場合にその副画素に隣接または近接する複数の副画素に対して滅点を補う補正のなされたパルスを印加することで、滅点が目立たないようにすることができる。つまり、本技術では、画素回路を改変する必要はなく、しかも、滅点の周囲の輝度だけが変調されて、滅点が逆に目立ってしまうということもない。
【発明の効果】
【００１１】
本技術による表示装置および電子機器によれば、発光色の互いに異なる４種類以上の副画素を画素ごとに設け、滅点の副画素に隣接または近接する複数の副画素に対して滅点を補う補正のなされたパルスを印加するようにしたので、画素回路を複雑にすることなく、滅点補正をすることができる。
【図面の簡単な説明】
【００１２】
【図１】本技術による第１の実施の形態に係る表示装置の概略図である。
【図２】図１の副画素の回路図である。
【図３】図１の表示領域のレイアウトの一例を表す図である。
【図４】図１の補正信号生成回路の概略図である。
【図５】滅点を含む領域で白表示をしている様子を模式的に表す図である。
【図６】（Ａ）滅点を含む領域で単色表示をしているときに観察される滅点の一例を表す図である。（Ｂ）本技術による滅点補正により滅点が消失した様子を模式的に表す図である。
【図７】滅点を含む領域で白表示をしている時に滅点補正を行っている様子の一例を模式的に表す図である。
【図８】図７の滅点補正の第１変形例を表す図である。
【図９】図７の滅点補正の第２変形例を表す図である。
【図１０】図７の滅点補正の第３変形例を表す図である。
【図１１】図７の滅点補正の第４変形例を表す図である。
【図１２】図７の滅点補正の第５変形例を表す図である。
【図１３】図７の滅点補正の第６変形例を表す図である。
【図１４】滅点を含む領域で赤色表示をしている様子を模式的に表す図である。
【図１５】滅点を含む領域で赤色表示をしている時に滅点補正を行っている様子の一例を模式的に表す図である。
【図１６】滅点を含む領域で緑色表示をしている様子を模式的に表す図である。
【図１７】滅点を含む領域で緑色表示をしている時に滅点補正を行っている様子の一例を模式的に表す図である。
【図１８】滅点を含む領域で青色表示をしている様子を模式的に表す図である。
【図１９】滅点を含む領域で青色表示をしている時に滅点補正を行っている様子の一例を模式的に表す図である。
【図２０】本技術による第２の実施の形態に係る表示装置の概略図である。
【図２１】図２０の副画素の回路図である。
【図２２】図２０の副画素のレイアウトの一例を表す図である。
【図２３】滅点を含む領域で白表示をしている様子を模式的に表す図である。
【図２４】滅点を含む領域で白表示をしている時に滅点補正を行っている様子の一例を模式的に表す図である。
【図２５】滅点を含む領域で赤色表示をしている様子を模式的に表す図である。
【図２６】滅点を含む領域で赤色表示をしている時に滅点補正を行っている様子の一例を模式的に表す図である。
【図２７】滅点を含む領域で緑色表示をしている様子を模式的に表す図である。
【図２８】滅点を含む領域で緑色表示をしている時に滅点補正を行っている様子の一例を模式的に表す図である。
【図２９】図１の副画素のレイアウトの一変形例を表す図である。
【図３０】滅点を含む領域で白表示をしている様子を模式的に表す図である。
【図３１】滅点を含む領域で白表示をしている時に滅点補正を行っている様子の一例を模式的に表す図である。
【図３２】滅点を含む領域で白表示をしている時に滅点補正を行っている様子の他の例を模式的に表す図である。
【図３３】滅点を含む領域で赤色表示をしている様子を模式的に表す図である。
【図３４】滅点を含む領域で赤色表示をしている時に滅点補正を行っている様子の一例を模式的に表す図である。
【図３５】滅点を含む領域で緑色表示をしている様子を模式的に表す図である。
【図３６】滅点を含む領域で緑色表示をしている時に滅点補正を行っている様子の一例を模式的に表す図である。
【図３７】滅点を含む領域で青色表示をしている様子を模式的に表す図である。
【図３８】滅点を含む領域で青色表示をしている時に滅点補正を行っている様子の一例を模式的に表す図である。
【図３９】図２０の副画素のレイアウトの一変形例を表す図である。
【図４０】滅点を含む領域で白表示をしている様子を模式的に表す図である。
【図４１】滅点を含む領域で白表示をしている時に滅点補正を行っている様子の一例を模式的に表す図である。
【図４２】滅点を含む領域で赤色表示をしている様子を模式的に表す図である。
【図４３】滅点を含む領域で赤色表示をしている時に滅点補正を行っている様子の一例を模式的に表す図である。
【図４４】滅点を含む領域で緑色表示をしている様子を模式的に表す図である。
【図４５】滅点を含む領域で緑色表示をしている時に滅点補正を行っている様子の一例を模式的に表す図である。
【図４６】図１の副画素のレイアウトの他の変形例を表す図である。
【図４７】図１９の副画素のレイアウトの他の変形例を表す図である。
【図４８】上述の滅点補正の態様をまとめた図である。
【図４９】上記実施の形態の表示装置を含むモジュールの概略構成を表す平面図である。
【図５０】上記実施の形態の表示装置の適用例１の外観を表す斜視図である。
【図５１】（Ａ）は適用例２の表側から見た外観を表す斜視図であり、（Ｂ）は裏側から見た外観を表す斜視図である。
【図５２】適用例３の外観を表す斜視図である。
【図５３】適用例４の外観を表す斜視図である。
【図５４】（Ａ）は適用例５の開いた状態の正面図、（Ｂ）はその側面図、（Ｃ）は閉じた状態の正面図、（Ｄ）は左側面図、（Ｅ）は右側面図、（Ｆ）は上面図、（Ｇ）は下面図である。
【発明を実施するための形態】
【００１３】
以下、発明を実施するための形態について、図面を参照して詳細に説明する。なお、説明は以下の順序で行う。
１．第１の実施の形態
タイル状の配列の各画素がＲＧＢＷの副画素で構成されている例
２．第２の実施の形態
タイル状の配列の各画素がＲＧＢＹの副画素で構成されている例
３．変形例
画素配列がストライプ配列またはデルタ配列となっている例
４．モジュールおよび適用例
【００１４】
＜１．第１の実施の形態＞
[構成]
図１は、本技術の第１の実施の形態に係る表示装置１の全体構成の一例を表したものである。この表示装置１は、表示パネル１０と、表示パネル１０を駆動する駆動回路２０とを備えている。
【００１５】
（表示パネル１０）
表示パネル１０は、複数の表示画素１４が行方向および列方向に２次元配置された表示領域１０Ａを有している。表示パネル１０は、外部から入力された映像信号２０Ａに基づく画像を、各表示画素１４をアクティブマトリクス駆動することにより表示するものである。各表示画素１４は、発光色の互いに異なる４種類の副画素で構成されている。各表示画素１４は、４種類の副画素として、色光３原色を個別に発する３つの副画素１３Ｒ，１３Ｇ，１３Ｂ（第１副画素）と、加法混色により得られる色光を発する副画素１３Ｗ（第２副画素）とを有している。副画素１３Ｒは、色光３原色の１つである赤色光を発する副画素であり、副画素１３Ｇは、色光３原色の１つである緑色光を発する副画素であり、副画素１３Ｂは、色光３原色の１つである青色光を発する副画素である。副画素１３Ｗは、色光３原色を全て加法混色することにより得られる白色光を発する副画素である。以下では、副画素１３Ｒ，１３Ｇ，１３Ｂ，１３Ｗの総称として副画素１３を用いるものとする。
【００１６】
図２は、副画素１３の回路構成の一例を表したものである。副画素１３は、有機ＥＬ素子１１と、有機ＥＬ素子１１を駆動する画素回路１２とを有している。副画素１３Ｒは、有機ＥＬ素子１１として、赤色光を発する有機ＥＬ素子１１Ｒを有している。副画素１３Ｇは、有機ＥＬ素子１１として、緑色光を発する有機ＥＬ素子１１Ｇを有している。副画素１３Ｂは、有機ＥＬ素子１１として、青色光を発する有機ＥＬ素子１１Ｂを有している。副画素１３Ｗは、有機ＥＬ素子１１として、白色光を発する有機ＥＬ素子１１Ｗを有している。画素回路１２は、例えば、書込トランジスタＴｗｓと、駆動トランジスタＴｄｒと、保持容量Ｃｓとを含んで構成されたものであり、２Ｔｒ１Ｃの回路構成となっている。なお、画素回路１２は、２Ｔｒ１Ｃの回路構成に限られるものではなく、上記以外のトランジスタや、容量を有していてもよい。
【００１７】
書込トランジスタＴｗｓは、映像信号２０Ａに対応する電圧を保持容量Ｃｓに書き込むトランジスタである。駆動トランジスタＴｄｒは、書込トランジスタＴｗｓによって書き込まれた保持容量Ｃｓの電圧に基づいて有機ＥＬ素子１１を駆動するトランジスタである。トランジスタＴｗｓ，Ｔｄｒは、例えば、ｎチャネルＭＯＳ型の薄膜トランジスタ（ＴＦＴ（Thin Film Transistor））により構成されている。トランジスタＴｗｓ，Ｔｄｒは、ｐチャネルＭＯＳ型のＴＦＴにより構成されていてもよい。
【００１８】
表示パネル１０は、さらに、行方向に延在する複数のゲート線ＷＳＬと、行方向に延在する複数のドレイン線ＤＳＬと、列方向に延在する複数のデータ線ＤＴＬと、カソード線ＣＴＬとを有している。ゲート線ＷＳＬは、書込トランジスタＴｗｓのゲートに接続されている。ドレイン線ＤＳＬは、駆動トランジスタＴｄｒのドレインに接続されている。データ線ＤＴＬは、書込トランジスタＴｗｓのドレインに接続されている。書込トランジスタＴｗｓのソースは、駆動トランジスタＴｄｒのゲートと、保持容量Ｃｓの一端に接続されている。駆動トランジスタＴｄｒのソースと保持容量Ｃｓの他端とが、有機ＥＬ素子１１のアノードに接続されている。有機ＥＬ素子１１のカソードは、カソード線ＣＴＬに接続されている。
【００１９】
図３は、表示領域１０Ａのレイアウトの一例を表したものである。表示領域１０Ａにおいて、複数の表示画素１４は２次元配置され、かつ各表示画素１４においても、複数の副画素１３（１３Ｒ，１３Ｇ，１３Ｂ，１３Ｗ）が２次元配置されている。つまり、複数の副画素１３は、タイル状に配列されている。さらに、表示領域１０Ａにおいて、複数の副画素１３は、同一種類の副画素１３同士が互いに隣接しないように配置されている。例えば、１つの副画素１３Ｒに着目すると、その副画素１３Ｒの周囲には、同一種類の副画素１３Ｒが存在せず、他の種類の副画素１３Ｇ，１３Ｂ，１３Ｗが配置されている。
【００２０】
各表示画素１４において、副画素１３のレイアウトは互いに共通となっていることが好ましい。例えば、副画素１３Ｒは表示画素１４内の左上に配置され、副画素１３Ｇは表示画素１４内の左下に配置され、副画素１３Ｂは表示画素１４内の右下に配置され、副画素１３Ｗは表示画素１４内の右上に配置されている。なお、各表示画素１４内のレイアウトは、上記に限定されるものではない。複数の副画素１３が２×２の行列状（つまり、タイル状）に配置されている限りにおいて、副画素１３Ｇ，１３Ｂ，１３Ｗのそれぞれの位置関係は任意である。
【００２１】
（駆動回路２０）
駆動回路２０は、タイミング生成回路２１、映像信号処理回路２２、データ線駆動回路２３、ゲート線駆動回路２４、ドレイン線駆動回路２５および滅点検出回路２６を有している。データ線駆動回路２３の出力は、データ線ＤＴＬに接続されており、ゲート線駆動回路２４の出力は、ゲート線ＷＳＬに接続されている。ドレイン線駆動回路２５の出力は、ドレイン線ＤＳＬに接続されており、滅点検出回路２６の出力は、カソード線ＣＴＬに接続されている。
【００２２】
タイミング生成回路２１は、例えば、データ線駆動回路２３、ゲート線駆動回路２４、ドレイン線駆動回路２５および滅点検出回路２６が連動して動作するように制御するものである。タイミング生成回路２１は、例えば、外部から入力された同期信号２０Ｂに応じて（同期して）、これらの回路に対して制御信号２１Ａを出力するようになっている。
【００２３】
映像信号処理回路２２は、例えば、外部から入力されたデジタルの映像信号２０Ａに対して所定の補正を行い、それにより得られた映像信号２２Ａをデータ線駆動回路２３に出力するものである。所定の補正としては、例えば、ガンマ補正や、オーバードライブ補正などが挙げられる。映像信号処理回路２２は、さらに、例えば、滅点検出回路２６からの補正指示がある場合には、滅点検出回路２６から入力される補正信号２６Ａを用いて映像信号２０Ａを補正するようになっている。映像信号処理回路２２は、例えば、補正信号２６Ａを用いて発光輝度を変化させるように、映像信号２０Ａに対して補正を行うようになっている。なお、補正信号２６Ａを用いた映像信号２０Ａの補正については、後に詳述するものとする。
【００２４】
データ線駆動回路２３は、例えば、制御信号２１Ａの入力に応じて（同期して）、映像信号処理回路２２から入力された映像信号２２Ａに対応するアナログの信号電圧２３Ａ（映像信号に基づくパルス）を、各データ線ＤＴＬを介して、選択対象の副画素１３に印加する（書き込む）ものである。データ線駆動回路２３は、例えば、信号電圧２３Ａと、映像信号とは無関係の一定電圧とを出力することが可能となっている。
【００２５】
ゲート線駆動回路２４は、例えば、制御信号２１Ａの入力に応じて（同期して）、複数のゲート線ＷＳＬに選択パルスを順次印加して、複数の表示画素１４副画素１３をゲート線ＷＳＬ単位で順次選択するものである。ゲート線駆動回路２４は、例えば、書込トランジスタＴｗｓをオンさせるときに印加する電圧と、書込トランジスタＴｗｓをオフさせるときに印加する電圧とを出力することが可能となっている。
【００２６】
ドレイン線駆動回路２５は、例えば、制御信号２１Ａの入力に応じて（同期して）、所定の電圧を、各ドレイン線ＤＳＬを介して、各画素回路１２の駆動トランジスタＴｄｒのドレインに出力するようになっている。ドレイン線駆動回路２５は、例えば、有機ＥＬ素子１１を発光させるときに印加する電圧と、有機ＥＬ素子１１を消光させるときに印加する電圧とを出力することが可能となっている。
【００２７】
滅点検出回路２６は、例えば、カソード線ＣＴＬに流れる電流から有機ＥＬ素子１１の輝度を計算し、計算により得られた輝度（またはそれに対応する特性値）と、映像信号処理回路２２から入力された映像信号２２Ａから得られた輝度（またはそれに対応する特性値）とを対比し、その対比結果に応じた補正信号２６Ａを生成するものである。図４は、滅点検出回路２６の機能ブロックの一例を表したものである。滅点検出回路２６は、例えば、発光電流検出部２６−１、電流計算部２６−２および滅点検出部２６−３で構成されている。
【００２８】
発光電流検出部２６−１は、カソード線ＣＴＬに流れる電流を検出するものである。発光電流検出部２６−１は、例えば、カソード線ＣＴＬごとに電流を検出するようになっており、カソード線ＣＴＬごとに１つずつ設けられた複数の電流計測回路を含んで構成されている。発光電流検出部２６−１は、例えば、検出した電流（検出電流）の値を滅点検出部２６−３に出力するようになっている。このとき、発光電流検出部２６−１は、例えば、検出電流の値をカソード線ＣＴＬごとに出力するようになっている。なお、発光電流検出部２６−１は、例えば、カソード線ＣＴＬに流れる電流に対応する特性信号（例えば電圧）を滅点検出部２６−３に出力するようになっていてもよい。このとき、発光電流検出部２６−１は、例えば、特性信号（例えば電圧）をカソード線ＣＴＬごとに出力するようになっていてもよい。
【００２９】
電流計算部２６−２は、映像信号２２Ａから、カソード線ＣＴＬに流れる電流を予測するものである。電流計算部２６−２は、例えば、映像信号２０Ａから、カソード線ＣＴＬごとに電流を予測するようになっている。発光電流検出部２６−１が検出電流の値を出力するようになっている場合には、電流計算部２６−２は、映像信号２２Ａから導出した予測電流の値を出力するようになっている。このとき、電流計算部２６−２は、例えば、映像信号２２Ａから導出した予測電流の値を画素行ごとに出力するようになっている。なお、発光電流検出部２６−１が、上述の特性信号を出力するようになっている場合には、電流計算部２６−２は、映像信号２２Ａから導出した予測電流に対応する予測信号（例えば電圧）を出力するようになっていてもよい。このとき、電流計算部２６−２は、例えば、予測信号（例えば電圧）を画素行ごとに出力するようになっていてもよい。
【００３０】
滅点検出部２６−３は、発光電流検出部２６−１からの入力信号と、電流計算部２６−２からの入力信号とを対比して滅点の有無を検出し、滅点が存在する場合には、その位置を導出するものである。滅点検出部２６−３は、例えば、発光電流検出部２６−１から入力された検出電流の値と、電流計算部２６−２から入力された予測電流の値とを副画素１３ごとに比較し、比較結果が所定の関係となっている場合に、その副画素１３の位置情報を補正信号２６Ａとして映像信号処理回路２２に出力するようになっている。
【００３１】
なお、有機ＥＬ素子１１を形成する工程での異物混入による電極間ショートが原因で滅点が発生する場合には、滅点検出部２６−３は、例えば、発光電流検出部２６−１から入力された検出電流の値と、電流計算部２６−２から入力された予測電流の値とを副画素１３ごとに比較し、検出電流の値が予測電流の値よりも大幅に大きくなっている場合に、その副画素１３の位置情報を補正信号２６Ａとして映像信号処理回路２２に出力するようになっていてもよい。
【００３２】
なお、電極間ショートが原因で滅点が発生した場合の電流値があらかじめ予測できる場合には、滅点検出部２６−３は、電流計算部２６−２からの出力を利用せずに、発光電流検出部２６−１から入力された検出電流の値と、あらかめ用意された閾値電流の値とを副画素１３ごとに比較し、検出電流の値が閾値電流の値よりも大きくなっている場合に、その副画素１３の位置情報を補正信号２６Ａとして映像信号処理回路２２に出力するようになっていてもよい。その場合には、電流計算部２６−２を省略することができる。
【００３３】
（滅点の補正方法）
次に、補正信号２６Ａを用いた滅点の補正方法について説明する。映像信号処理回路２２は、滅点の位置情報を示す補正信号２６Ａを滅点検出回路２６から受信すると（つまり、滅点の副画素１３が存在する場合に）、滅点の副画素１３に隣接または近接する複数の副画素１３に対応する映像信号２０Ａに対して、滅点を補う補正を行うようになっている。例えば、映像信号処理回路２２は、ある領域で複数の副画素１３を用いて単色表示をさせている時に、単色表示の領域内に滅点が存在することを示す補正信号２６Ａを滅点検出回路２６から受信すると、滅点の副画素１３に隣接または近接する複数の副画素１３に対応する映像信号２０Ａに対して、滅点を補う補正を行うようになっている。データ線駆動回路２３は、映像信号処理回路２２から入力された、滅点を補う補正のなされた映像信号２２Ａに対応するアナログの信号電圧２３Ａ（パルス）を、滅点の副画素１３に隣接または近接する複数の副画素１３に対して印加するようになっている。
【００３４】
より具体的には、映像信号処理回路２２は、滅点の位置情報を示す補正信号２６Ａを滅点検出回路２６から受信すると、滅点の副画素１３に隣接または近接すると共に、滅点を補う補正のなされたパルスが印加される複数の副画素１３（補正対象の副画素１３）の合計輝度が滅点を補う大きさとなるように、補正対象の副画素１３に対応する映像信号２０Ａに対して補正を行うようになっている。例えば、映像信号処理回路２２は、ある領域で複数の副画素１３を用いて単色表示をさせている時に、単色表示の領域内に滅点が存在することを示す補正信号２６Ａを滅点検出回路２６から受信すると、滅点の副画素１３に隣接または近接すると共に、滅点を補う補正のなされたパルスが印加される複数の副画素１３（補正対象の副画素１３）の合計輝度が滅点を補う大きさとなるように、補正対象の副画素１３に対応する映像信号２０Ａに対して補正を行うようになっている。ここで、「滅点を補う大きさ」は、滅点の副画素１３が発光可能であった場合の当該副画素１３の発光輝度と同一またはほぼ同一の大きさとなっていることが好ましい。
【００３５】
図５は、滅点が存在している場合に、滅点を含む表示領域において各副画素１３Ｗが発光し、その表示領域が白表示となっている様子を模式的に表したものである。図５において×が付されている副画素１３が、滅点の副画素１３に相当する。また、図５において太枠で表現されている副画素１３は、データ線駆動回路２３から印加された信号電圧２３Ａにより発光していることを意味している。また、図５において破線の枠で表現されている副画素１３は、データ線駆動回路２３から印加された信号電圧２３Ａにより消光していることを意味している。なお、図６以降の図においても、×は滅点を意味しており、太枠は発光を意味しており、破線の枠は消光を意味しているものとする。
【００３６】
図５のような滅点が生じているとき、観察者には、図６（Ａ）に示したような黒色のドットが滅点として観察される。このとき、映像信号処理回路２２は、滅点の位置情報を示す補正信号２６Ａを滅点検出回路２６から受信すると、例えば、図７〜図１３に示したように、その位置情報に対応する副画素１３（滅点副画素１３ｍ）を含む表示画素１４（滅点画素１４ｍ）に含まれる副画素１３と、滅点副画素１３ｍに隣接する表示画素１４（隣接画素１４ｎ）に含まれる副画素１３に対応する映像信号２０Ａに対して、滅点を補う補正を行うようになっている。滅点を補う補正が行われることにより、観察者には、図６（Ｂ）に示したように黒色のドットが視認されなくなる。
【００３７】
映像信号処理回路２２は、補正信号２６Ａが示す滅点の位置が白表示となっている領域内に存在しているときに、例えば、図７に示したように、滅点副画素１３ｍを取り囲む８つの副画素１３が滅点を補う輝度で点灯するように、当該８つの副画素１３に対応する映像信号２０Ａに対して補正を行うようになっている。具体的には、映像信号処理回路２２は、補正信号２６Ａが示す滅点の位置が白表示となっている領域内に存在しているときに、例えば、図７に示したように、滅点副画素１３ｍを取り囲む８つの副画素１３の合計輝度が滅点を補う大きさとなるように、当該８つの副画素１３に対応する映像信号２０Ａに対して補正を行うようになっている。
【００３８】
ところで、滅点副画素１３ｍを取り囲む８つの副画素１３は、色光３原色に含まれる色（赤、緑、青）を個別に発する副画素１３Ｒ，１３Ｇ，１３Ｂで構成されており、具体的には、２つの副画素１３Ｒ、４つの副画素１３Ｇおよび２つの副画素１３Ｂで構成されている。そのため、滅点副画素１３ｍの周囲からは、上記の８つの副画素１３から発せられる光が加法混色されることにより得られる色光（つまり白色光）が生成される。その結果、滅点副画素１３ｍの周囲から発せられる白色光により、滅点が補われる。
【００３９】
なお、映像信号処理回路２２は、補正信号２６Ａが示す滅点の位置が白表示となっている領域内に存在しているときに、滅点副画素１３ｍを取り囲む８つの副画素１３のうち一部の副画素１３に対応する映像信号２０Ａに対してだけ補正を行うようにしてもよい。
【００４０】
映像信号処理回路２２は、補正信号２６Ａが示す滅点の位置が白表示となっている領域内に存在しているときに、例えば、図８に示したように、滅点画素１４ｍに含まれる、滅点以外の３つの副画素１３（１３Ｒ，１３Ｇ，１３Ｂ）が滅点を補う輝度で点灯するように、当該３つの副画素１３（１３Ｒ，１３Ｇ，１３Ｂ）に対応する映像信号２０Ａに対して補正を行うようになっていてもよい。具体的には、映像信号処理回路２２は、補正信号２６Ａが示す滅点の位置が白表示となっている領域内に存在しているときに、例えば、図８に示したように、滅点画素１４ｍに含まれる、滅点以外の３つの副画素１３（１３Ｒ，１３Ｇ，１３Ｂ）の合計輝度が滅点を補う大きさとなるように、当該３つの副画素１３（１３Ｒ，１３Ｇ，１３Ｂ）に対応する映像信号２０Ａに対して補正を行うようになっていてもよい。なお、補正対象の３つの副画素１３（１３Ｒ，１３Ｇ，１３Ｂ）は、色光３原色に含まれる色（赤、緑、青）を個別に発する副画素である。
【００４１】
映像信号処理回路２２は、補正信号２６Ａが示す滅点の位置が白表示となっている領域内に存在しているときに、例えば、図９〜図１３に示したように、滅点副画素１３ｍの周囲にある一組のＲＧＢ副画素（１３Ｒ，１３Ｇ，１３Ｂ）または二組のＲＧＢ副画素（１３Ｒ，１３Ｇ，１３Ｂ）が滅点を補う輝度で点灯するように、当該一組のＲＧＢ副画素または二組のＲＧＢ副画素に対応する映像信号２０Ａに対して補正を行うようになっていてもよい。具体的には、映像信号処理回路２２は、補正信号２６Ａが示す滅点の位置が白表示となっている領域内に存在しているときに、例えば、図９〜図１３に示したように、滅点副画素１３ｍの周囲にある一組のＲＧＢ副画素または二組のＲＧＢ副画素の合計輝度が滅点を補う大きさとなるように、当該滅点副画素１３ｍの周囲にある一組のＲＧＢ副画素または二組のＲＧＢ副画素に対応する映像信号２０Ａに対して補正を行うようになっていてもよい。なお、補正対象の一組のＲＧＢ副画素（１３Ｒ，１３Ｇ，１３Ｂ）および二組のＲＧＢ副画素（１３Ｒ，１３Ｇ，１３Ｂ）は、色光３原色に含まれる色（赤、緑、青）を個別に発する副画素である。
【００４２】
図１４は、滅点が存在している場合に、滅点を含む表示領域において各副画素１３Ｒが発光し、その表示領域が赤表示となっている様子を模式的に表したものである。図１４のような滅点が生じているとき、観察者には、図６（Ａ）に示したような黒色のドットが滅点として観察される。このとき、映像信号処理回路２２は、滅点の位置情報を示す補正信号２６Ａを滅点検出回路２６から受信すると、例えば、図１５に示したように、滅点画素１４ｍに含まれる副画素１３Ｗと、滅点副画素１３ｍに隣接する３つの表示画素１４（隣接画素１４ｎ）に含まれる副画素１３Ｗであって、かつ滅点副画素１３ｍに隣接する副画素１３Ｗに対応する映像信号２０Ａに対して、滅点を補う補正を行うようになっている。滅点を補う補正が行われることにより、観察者には、図６（Ｂ）に示したように黒色のドットが視認されなくなる。なお、補正対象の２つの副画素１３Ｗは、加法混色により得られる色光（白色光）を発する副画素である。
【００４３】
映像信号処理回路２２は、補正信号２６Ａが示す滅点の位置が赤表示となっている領域内に存在しているときに、例えば、図１５に示したように、滅点副画素１３ｍに隣接する２つの副画素１３Ｗが滅点を補う輝度で点灯するように、当該２つの副画素１３Ｗに対応する映像信号２０Ａに対して補正を行うようになっている。具体的には、映像信号処理回路２２は、補正信号２６Ａが示す滅点の位置が赤表示となっている領域内に存在しているときに、例えば、滅点副画素１３ｍに隣接する２つの副画素１３Ｗの合計輝度が滅点を補う大きさとなるように、当該２つの副画素１３Ｗに対応する映像信号２０Ａに対して補正を行うようになっている。なお、白色光は、色光３原色全てを加法混色することにより得られる色光であることから、滅点副画素１３ｍの周囲から発せられる白色光により、滅点が補われる。
【００４４】
図１６は、滅点が存在している場合に、滅点を含む表示領域において各副画素１３Ｇが発光し、その表示領域が緑表示となっている様子を模式的に表したものである。図１６のような滅点が生じているとき、観察者には、図６（Ａ）に示したような黒色のドットが滅点として観察される。このとき、映像信号処理回路２２は、滅点の位置情報を示す補正信号２６Ａを滅点検出回路２６から受信すると、例えば、図１７に示したように、滅点画素１４ｍに含まれる副画素１３Ｗと、滅点副画素１３ｍに隣接する３つの表示画素１４（隣接画素１４ｎ）にそれぞれ含まれる副画素１３Ｗに対応する映像信号２０Ａに対して、滅点を補う補正を行うようになっている。滅点を補う補正が行われることにより、観察者には、図６（Ｂ）に示したように黒色のドットが視認されなくなる。なお、補正対象の４つの副画素１３Ｗは、加法混色により得られる色光（白色光）を発する副画素である。
【００４５】
映像信号処理回路２２は、補正信号２６Ａが示す滅点の位置が緑表示となっている領域内に存在しているときに、例えば、図１７に示したように、滅点副画素１３ｍに隣接する４つの副画素１３Ｗが滅点を補う輝度で点灯するように、当該４つの副画素１３Ｗに対応する映像信号２０Ａに対して補正を行うようになっている。具体的には、映像信号処理回路２２は、補正信号２６Ａが示す滅点の位置が緑表示となっている領域内に存在しているときに、例えば、滅点副画素１３ｍに隣接する４つの副画素１３Ｗの合計輝度が滅点を補う大きさとなるように、当該４つの副画素１３Ｗに対応する映像信号２０Ａに対して補正を行うようになっている。なお、白色光は、色光３原色全てを加法混色することにより得られる色光であることから、滅点副画素１３ｍの周囲から発せられる白色光により、滅点が補われる。
【００４６】
図１８は、滅点が存在している場合に、滅点を含む表示領域において各副画素１３Ｂが発光し、その表示領域が青表示となっている様子を模式的に表したものである。図１８のような滅点が生じているとき、観察者には、図６（Ａ）に示したような黒色のドットが滅点として観察される。このとき、映像信号処理回路２２は、滅点の位置情報を示す補正信号２６Ａを滅点検出回路２６から受信すると、例えば、図１９に示したように、滅点画素１４ｍに含まれる副画素１３Ｗと、滅点副画素１３ｍに隣接する副画素１３Ｗに対応する映像信号２０Ａに対して、滅点を補う補正を行うようになっている。滅点を補う補正が行われることにより、観察者には、図６（Ｂ）に示したように黒色のドットが視認されなくなる。なお、補正対象の２つの副画素１３Ｗは、加法混色により得られる色光（白色光）を発する副画素である。
【００４７】
映像信号処理回路２２は、補正信号２６Ａが示す滅点の位置が青表示となっている領域内に存在しているときに、例えば、図１９に示したように、滅点副画素１３ｍに隣接する２つの副画素１３Ｗが滅点を補う輝度で点灯するように、当該２つの副画素１３Ｗに対応する映像信号２０Ａに対して補正を行うようになっている。具体的には、映像信号処理回路２２は、補正信号２６Ａが示す滅点の位置が青表示となっている領域内に存在しているときに、例えば、滅点副画素１３ｍに隣接する２つの副画素１３Ｗの合計輝度が滅点を補う大きさとなるように、当該２つの副画素１３Ｗに対応する映像信号２０Ａに対して補正を行うようになっている。なお、白色光は、色光３原色全てを加法混色することにより得られる色光であることから、滅点副画素１３ｍの周囲から発せられる白色光により、滅点が補われる。
【００４８】
［動作］
次に、本実施の形態の表示装置１の動作の一例について説明する。
【００４９】
表示装置１では、映像信号２０Ａに対応する信号電圧２３Ａがデータ線駆動回路２３によって各データ線ＤＴＬに印加されると共に、制御信号２１Ａに応じた選択パルスがゲート線駆動回路２４およびドレイン線駆動回路２５によって複数のゲート線ＷＳＬおよびドレイン線ＤＳＬに順次印加される。これにより、各副画素１３において画素回路１２がオンオフ制御され、各副画素１３の有機ＥＬ素子１１に駆動電流が注入されることにより、正孔と電子とが再結合して発光が起こり、その光が外部に取り出される。その結果、表示パネル１０の表示領域１０Ａにおいて画像が表示される。
【００５０】
［効果］
次に、本実施の形態の表示装置１の効果について説明する。本実施の形態では、発光色の互いに異なる４種類の副画素１３（１３Ｒ，１３Ｇ，１３Ｂ，１３Ｗ）が表示画素１４ごとに設けられている。これにより、滅点の副画素１３が存在する場合にその副画素１３に隣接または近接する複数の副画素１３に対して滅点を補う補正のなされたパルスを印加することで、滅点が目立たないようにすることができる。つまり、本実施の形態では、画素回路１２を従来の構成から改変する必要はなく、しかも、滅点の周囲の輝度だけが変調されて、滅点が逆に目立ってしまうということもない。従って、画素回路１２を複雑にすることなく、滅点補正をすることができる。
【００５１】
＜２．第２の実施の形態＞
[構成]
図２０は、本技術の第２の実施の形態に係る表示装置２の全体構成の一例を表したものである。図２１は、表示装置２における副画素１３の回路構成の一例を表したものである。図２２は、表示装置２における表示領域１０Ａのレイアウトの一例を表したものである。表示装置２では、各表示画素１４が、４種類の副画素として、色光３原色を個別に発する３つの副画素１３Ｒ，１３Ｇ，１３Ｂ（第１副画素）と、加法混色により得られる色光を発する副画素１３Ｙ（第２副画素）とを有している。つまり、表示装置２は、表示装置１における副画素１３Ｗが副画素１３Ｙに置き換えられたものに相当する。なお、以下では、第１の実施の形態との相違点について主に説明し、第１の実施の形態との共通点についての説明を適宜省略するものとする。
【００５２】
副画素１３Ｙは、色光３原色のうち赤および緑を加法混色することにより得られる黄色光を発する副画素である。本実施の形態では、副画素１３Ｒ，１３Ｇ，１３Ｂ，１３Ｙの総称として副画素１３を用いるものとする。副画素１３Ｙは、有機ＥＬ素子１１として、黄色光を発する有機ＥＬ素子１１Ｙを有している。
【００５３】
（滅点の補正方法）
次に、補正信号２６Ａを用いた滅点の補正方法について説明する。映像信号処理回路２２は、滅点の位置情報を示す補正信号２６Ａを滅点検出回路２６から受信すると、滅点の副画素１３に隣接または近接する複数の副画素１３に対応する映像信号２０Ａに対して、滅点を補う補正を行うようになっている。例えば、映像信号処理回路２２は、ある領域で複数の副画素１３を用いて単色表示をさせている時に、単色表示の領域内に滅点が存在することを示す補正信号２６Ａを滅点検出回路２６から受信すると、滅点の副画素１３に隣接または近接する複数の副画素１３に対応する映像信号２０Ａに対して、滅点を補う補正を行うようになっている。データ線駆動回路２３は、映像信号処理回路２２から入力された、滅点を補う補正のなされた映像信号２２Ａに対応するアナログの信号電圧２３Ａ（パルス）を、滅点の副画素１３に隣接または近接する複数の副画素１３に対して印加するようになっている。
【００５４】
より具体的には、映像信号処理回路２２は、滅点の位置情報を示す補正信号２６Ａを滅点検出回路２６から受信すると、滅点の副画素１３に隣接または近接すると共に、滅点を補う補正のなされたパルスが印加される複数の副画素１３（補正対象の副画素１３）の合計輝度が滅点を補う大きさとなるように、補正対象の副画素１３に対応する映像信号２０Ａに対して補正を行うようになっている。例えば、映像信号処理回路２２は、ある領域で複数の副画素１３を用いて単色表示をさせている時に、単色表示の領域内に滅点が存在することを示す補正信号２６Ａを滅点検出回路２６から受信すると、滅点の副画素１３に隣接または近接すると共に、滅点を補う補正のなされたパルスが印加される複数の副画素１３（補正対象の副画素１３）の合計輝度が滅点を補う大きさとなるように、補正対象の副画素１３に対応する映像信号２０Ａに対して補正を行うようになっている。ここで、「滅点を補う大きさ」は、滅点の副画素１３が発光可能であった場合の当該副画素１３の発光輝度と同一またはほぼ同一の大きさとなっていることが好ましい。
【００５５】
図２３は、滅点が存在している場合に、滅点を含む表示領域において各副画素１３Ｂおよび各副画素１３Ｙが発光し、その表示領域が白表示となっている様子を模式的に表したものである。図２３のような滅点が生じているとき、観察者には、図６（Ａ）に示したような黒色のドットが滅点として観察される。このとき、映像信号処理回路２２は、滅点の位置情報を示す補正信号２６Ａを滅点検出回路２６から受信すると、例えば、図２４に示したように、その位置情報に対応する副画素１３（滅点副画素１３ｍ）を含む表示画素１４（滅点画素１４ｍ）に含まれる副画素１３と、滅点副画素１３ｍに隣接する表示画素１４（隣接画素１４ｎ）に含まれる副画素１３に対応する映像信号２０Ａに対して、滅点を補う補正を行うようになっている。滅点を補う補正が行われることにより、観察者には、図６（Ｂ）に示したように黒色のドットが視認されなくなる。
【００５６】
映像信号処理回路２２は、補正信号２６Ａが示す滅点の位置が白表示となっている領域内に存在しているときに、例えば、図２４に示したように、滅点副画素１３ｍを取り囲む８つの副画素１３が滅点を補う輝度で点灯するように、当該８つの副画素１３に対応する映像信号２０Ａに対して補正を行うようになっている。具体的には、映像信号処理回路２２は、補正信号２６Ａが示す滅点の位置が白表示となっている領域内に存在しているときに、例えば、図２４に示したように、滅点副画素１３ｍを取り囲む８つの副画素１３の合計輝度が滅点を補う大きさとなるように、当該８つの副画素１３に対応する映像信号２０Ａに対して補正を行うようになっている。
【００５７】
ところで、滅点副画素１３ｍを取り囲む８つの副画素１３は、色光３原色に含まれる色（赤、緑、青）を個別に発する副画素１３Ｒ，１３Ｇ，１３Ｂで構成されており、具体的には、２つの副画素１３Ｒ、４つの副画素１３Ｇおよび２つの副画素１３Ｂで構成されている。そのため、滅点副画素１３ｍの周囲からは、上記の８つの副画素１３から発せられる光が加法混色されることにより得られる色光（つまり白色光）が生成される。その結果、滅点副画素１３ｍの周囲から発せられる白色光により、滅点が補われる。
【００５８】
なお、映像信号処理回路２２は、補正信号２６Ａが示す滅点の位置が白表示となっている領域内に存在しているときに、例えば図８〜図１３に示した態様と同様に、滅点副画素１３ｍを取り囲む８つの副画素１３のうち一部の副画素１３に対応する映像信号２０Ａに対してだけ補正を行うようにしてもよい。
【００５９】
図２５は、滅点が存在している場合に、滅点を含む表示領域において各副画素１３Ｒが発光し、その表示領域が赤表示となっている様子を模式的に表したものである。図２５のような滅点が生じているとき、観察者には、図６（Ａ）に示したような黒色のドットが滅点として観察される。このとき、映像信号処理回路２２は、滅点の位置情報を示す補正信号２６Ａを滅点検出回路２６から受信すると、例えば、図２６に示したように、滅点画素１４ｍに含まれる副画素１３Ｙと、隣接画素１４ｎに含まれる副画素１３Ｙであって、かつ滅点副画素１３ｍに隣接する副画素１３Ｙに対応する映像信号２０Ａに対して、滅点を補う補正を行うようになっている。滅点を補う補正が行われることにより、観察者には、図６（Ｂ）に示したように黒色のドットが視認されなくなる。なお、補正対象の２つの副画素１３Ｙは、加法混色により得られる色光（黄色光）を発する副画素である。
【００６０】
映像信号処理回路２２は、補正信号２６Ａが示す滅点の位置が赤表示となっている領域内に存在しているときに、例えば、図２６に示したように、滅点副画素１３ｍに隣接する２つの副画素１３Ｙが滅点を補う輝度で点灯するように、当該２つの副画素１３Ｙに対応する映像信号２０Ａに対して補正を行うようになっている。具体的には、映像信号処理回路２２は、補正信号２６Ａが示す滅点の位置が赤表示となっている領域内に存在しているときに、例えば、滅点副画素１３ｍに隣接する２つの副画素１３Ｙの合計輝度が滅点を補う大きさとなるように、当該２つの副画素１３Ｙに対応する映像信号２０Ａに対して補正を行うようになっている。なお、黄色光は、色光３原色のうち赤および緑を加法混色することにより得られる色光であることから、滅点副画素１３ｍの周囲から発せられる黄色光により、滅点が補われる。
【００６１】
図２７は、滅点が存在している場合に、滅点を含む表示領域において各副画素１３Ｇが発光し、その表示領域が緑表示となっている様子を模式的に表したものである。図２７のような滅点が生じているとき、観察者には、図６（Ａ）に示したような黒色のドットが滅点として観察される。このとき、映像信号処理回路２２は、滅点の位置情報を示す補正信号２６Ａを滅点検出回路２６から受信すると、例えば、図２８に示したように、滅点画素１４ｍに含まれる副画素１３Ｙと、滅点副画素１３ｍに隣接する３つの表示画素１４（隣接画素１４ｎ）にそれぞれ含まれる副画素１３Ｗに対応する映像信号２０Ａに対して、滅点を補う補正を行うようになっている。滅点を補う補正が行われることにより、観察者には、図６（Ｂ）に示したように黒色のドットが視認されなくなる。なお、補正対象の４つの副画素１３Ｙは、加法混色により得られる色光（黄色光）を発する副画素である。
【００６２】
映像信号処理回路２２は、補正信号２６Ａが示す滅点の位置が緑表示となっている領域内に存在しているときに、例えば、図２８に示したように、滅点副画素１３ｍに隣接する４つの副画素１３Ｗが滅点を補う輝度で点灯するように、当該４つの副画素１３Ｗに対応する映像信号２０Ａに対して補正を行うようになっている。具体的には、映像信号処理回路２２は、補正信号２６Ａが示す滅点の位置が緑表示となっている領域内に存在しているときに、例えば、滅点副画素１３ｍに隣接する４つの副画素１３Ｗの合計輝度が滅点を補う大きさとなるように、当該４つの副画素１３Ｗに対応する映像信号２０Ａに対して補正を行うようになっている。なお、黄色光は、色光３原色のうち赤および緑を加法混色することにより得られる色光であることから、滅点副画素１３ｍの周囲から発せられる黄色光により、滅点が補われる。
【００６３】
［効果］
次に、本実施の形態の表示装置２の効果について説明する。本実施の形態では、発光色の互いに異なる４種類の副画素１３（１３Ｒ，１３Ｇ，１３Ｂ，１３Ｙ）が表示画素１４ごとに設けられている。これにより、滅点の副画素１３が存在する場合にその副画素１３に隣接または近接する複数の副画素１３に対して滅点を補う補正のなされたパルスを印加することで、滅点が目立たないようにすることができる。つまり、本実施の形態では、画素回路１２を従来の構成から改変する必要はなく、しかも、滅点の周囲の輝度だけが変調されて、滅点が逆に目立ってしまうということもない。従って、画素回路１２を複雑にすることなく、滅点補正をすることができる。
【００６４】
＜２．変形例＞
[第１変形例] 
第１の実施の形態では、表示パネル１０に含まれる複数の表示画素１４はタイル状の配列となっていたが、他の形態の配列となっていてもよい。例えば、図２９に示したように、複数の表示画素１４が行方向および列方向に２次元配置され、かつ各表示画素１４において、複数の副画素１３が行方向に配列されていてもよい。つまり、表示パネル１０に含まれる複数の副画素１３が、ストライプ配列となっていてもよい。
【００６５】
（滅点の補正方法）
次に、補正信号２６Ａを用いた滅点の補正方法について説明する。映像信号処理回路２２は、滅点の位置情報を示す補正信号２６Ａを滅点検出回路２６から受信すると（つまり、滅点の副画素１３が存在する場合に）、滅点の副画素１３を行方向から挟み込む複数の副画素１３に対応する映像信号２０Ａに対して、滅点を補う補正を行うようになっている。例えば、映像信号処理回路２２は、ある領域で複数の副画素１３を用いて単色表示をさせている時に、単色表示の領域内に滅点が存在することを示す補正信号２６Ａを滅点検出回路２６から受信すると、行方向において滅点の副画素１３に隣接または近接する複数の副画素１３に対応する映像信号２０Ａに対して、滅点を補う補正を行うようになっている。データ線駆動回路２３は、映像信号処理回路２２から入力された、滅点を補う補正のなされた映像信号２２Ａに対応するアナログの信号電圧２３Ａ（パルス）を、行方向において滅点の副画素１３に隣接または近接する複数の副画素１３に対して印加するようになっている。
【００６６】
より具体的には、映像信号処理回路２２は、滅点の位置情報を示す補正信号２６Ａを滅点検出回路２６から受信すると、行方向において滅点の副画素１３に隣接または近接すると共に、滅点を補う補正のなされたパルスが印加される複数の副画素１３（補正対象の副画素１３）の合計輝度が滅点を補う大きさとなるように、補正対象の副画素１３に対応する映像信号２０Ａに対して補正を行うようになっている。例えば、映像信号処理回路２２は、ある領域で複数の副画素１３を用いて単色表示をさせている時に、単色表示の領域内に滅点が存在することを示す補正信号２６Ａを滅点検出回路２６から受信すると、行方向において滅点の副画素１３に隣接または近接すると共に、滅点を補う補正のなされたパルスが印加される複数の副画素１３（補正対象の副画素１３）の合計輝度が滅点を補う大きさとなるように、補正対象の副画素１３に対応する映像信号２０Ａに対して補正を行うようになっている。ここで、「滅点を補う大きさ」は、滅点の副画素１３が発光可能であった場合の当該副画素１３の発光輝度と同一またはほぼ同一の大きさとなっていることが好ましい。
【００６７】
図３０は、滅点が存在している場合に、滅点を含む表示領域において各副画素１３Ｗが発光し、その表示領域が白表示となっている様子を模式的に表したものである。図３０のような滅点が生じているとき、観察者には、図６（Ａ）に示したような黒色のドットが滅点として観察される。このとき、映像信号処理回路２２は、滅点の位置情報を示す補正信号２６Ａを滅点検出回路２６から受信すると、例えば、図３１、図３２に示したように、その位置情報に対応する副画素１３（滅点副画素１３ｍ）を含む表示画素１４（滅点画素１４ｍ）に含まれる副画素１３と、行方向において滅点副画素１３ｍに隣接または近接する表示画素１４（隣接画素１４ｎ）に含まれる副画素１３に対応する映像信号２０Ａに対して、滅点を補う補正を行うようになっている。滅点を補う補正が行われることにより、観察者には、図６（Ｂ）に示したように黒色のドットが視認されなくなる。
【００６８】
映像信号処理回路２２は、補正信号２６Ａが示す滅点の位置が白表示となっている領域内に存在しているときに、例えば、図３１、図３２に示したように、滅点副画素１３ｍを行方向から挟み込む３つの副画素１３が滅点を補う輝度で点灯するように、当該３つの副画素１３に対応する映像信号２０Ａに対して補正を行うようになっている。具体的には、映像信号処理回路２２は、補正信号２６Ａが示す滅点の位置が白表示となっている領域内に存在しているときに、例えば、図３１、図３２に示したように、滅点副画素１３ｍを行方向から挟み込む３つの副画素１３の合計輝度が滅点を補う大きさとなるように、当該３つの副画素１３に対応する映像信号２０Ａに対して補正を行うようになっている。
【００６９】
ところで、補正対象の３つの副画素１３は、色光３原色に含まれる色（赤、緑、青）を個別に発する副画素１３Ｒ，１３Ｇ，１３Ｂで構成されており、具体的には、１つの副画素１３Ｒ、１つの副画素１３Ｇおよび１つの副画素１３Ｂで構成されている。そのため、滅点副画素１３ｍの周囲からは、上記の３つの副画素１３から発せられる光が加法混色されることにより得られる色光（つまり白色光）が生成される。その結果、滅点副画素１３ｍの周囲から発せられる白色光により、滅点が補われる。
【００７０】
図３３は、滅点が存在している場合に、滅点を含む表示領域において各副画素１３Ｒが発光し、その表示領域が赤表示となっている様子を模式的に表したものである。図３３のような滅点が生じているとき、観察者には、図６（Ａ）に示したような黒色のドットが滅点として観察される。このとき、映像信号処理回路２２は、滅点の位置情報を示す補正信号２６Ａを滅点検出回路２６から受信すると、例えば、図３４に示したように、滅点画素１４ｍに含まれる副画素１３Ｗと、行方向において滅点副画素１３ｍに隣接する１つの表示画素１４（隣接画素１４ｎ）に含まれる副画素１３Ｗであって、かつ滅点副画素１３ｍに隣接する副画素１３Ｗに対応する映像信号２０Ａに対して、滅点を補う補正を行うようになっている。滅点を補う補正が行われることにより、観察者には、図６（Ｂ）に示したように黒色のドットが視認されなくなる。なお、補正対象の２つの副画素１３Ｗは、加法混色により得られる色光（白色光）を発する副画素である。
【００７１】
映像信号処理回路２２は、補正信号２６Ａが示す滅点の位置が赤表示となっている領域内に存在しているときに、例えば、図３４に示したように、滅点副画素１３ｍを行方向から挟み込む２つの副画素１３Ｗが滅点を補う輝度で点灯するように、当該２つの副画素１３Ｗに対応する映像信号２０Ａに対して補正を行うようになっている。具体的には、映像信号処理回路２２は、補正信号２６Ａが示す滅点の位置が赤表示となっている領域内に存在しているときに、例えば、滅点副画素１３ｍを行方向から挟み込む２つの副画素１３Ｗの合計輝度が滅点を補う大きさとなるように、当該２つの副画素１３Ｗに対応する映像信号２０Ａに対して補正を行うようになっている。なお、白色光は、色光３原色全てを加法混色することにより得られる色光であることから、滅点副画素１３ｍの周囲から発せられる白色光により、滅点が補われる。
【００７２】
図３５は、滅点が存在している場合に、滅点を含む表示領域において各副画素１３Ｇが発光し、その表示領域が緑表示となっている様子を模式的に表したものである。図３５のような滅点が生じているとき、観察者には、図６（Ａ）に示したような黒色のドットが滅点として観察される。このとき、映像信号処理回路２２は、滅点の位置情報を示す補正信号２６Ａを滅点検出回路２６から受信すると、例えば、図３６に示したように、滅点画素１４ｍに含まれる副画素１３Ｗと、行方向において滅点副画素１３ｍに隣接する１つの表示画素１４（隣接画素１４ｎ）に含まれる副画素１３Ｗに対応する映像信号２０Ａに対して、滅点を補う補正を行うようになっている。滅点を補う補正が行われることにより、観察者には、図６（Ｂ）に示したように黒色のドットが視認されなくなる。なお、補正対象の２つの副画素１３Ｗは、加法混色により得られる色光（白色光）を発する副画素である。
【００７３】
映像信号処理回路２２は、補正信号２６Ａが示す滅点の位置が緑表示となっている領域内に存在しているときに、例えば、図３６に示したように、滅点副画素１３ｍを行方向から挟み込む２つの副画素１３Ｗが滅点を補う輝度で点灯するように、当該２つの副画素１３Ｗに対応する映像信号２０Ａに対して補正を行うようになっている。具体的には、映像信号処理回路２２は、補正信号２６Ａが示す滅点の位置が緑表示となっている領域内に存在しているときに、例えば、滅点副画素１３ｍを行方向から挟み込む２つの副画素１３Ｗの合計輝度が滅点を補う大きさとなるように、当該２つの副画素１３Ｗに対応する映像信号２０Ａに対して補正を行うようになっている。なお、白色光は、色光３原色全てを加法混色することにより得られる色光であることから、滅点副画素１３ｍの周囲から発せられる白色光により、滅点が補われる。
【００７４】
図３７は、滅点が存在している場合に、滅点を含む表示領域において各副画素１３Ｂが発光し、その表示領域が青表示となっている様子を模式的に表したものである。図３７のような滅点が生じているとき、観察者には、図６（Ａ）に示したような黒色のドットが滅点として観察される。このとき、映像信号処理回路２２は、滅点の位置情報を示す補正信号２６Ａを滅点検出回路２６から受信すると、例えば、図３８に示したように、滅点画素１４ｍに含まれる副画素１３Ｗと、行方向において滅点副画素１３ｍに隣接する１つの表示画素１４（隣接画素１４ｎ）に含まれる副画素１３Ｗに対応する映像信号２０Ａに対して、滅点を補う補正を行うようになっている。滅点を補う補正が行われることにより、観察者には、図６（Ｂ）に示したように黒色のドットが視認されなくなる。なお、補正対象の２つの副画素１３Ｗは、加法混色により得られる色光（白色光）を発する副画素である。
【００７５】
映像信号処理回路２２は、補正信号２６Ａが示す滅点の位置が青表示となっている領域内に存在しているときに、例えば、図３８に示したように、滅点副画素１３ｍを行方向から挟み込む２つの副画素１３Ｗが滅点を補う輝度で点灯するように、当該２つの副画素１３Ｗに対応する映像信号２０Ａに対して補正を行うようになっている。具体的には、映像信号処理回路２２は、補正信号２６Ａが示す滅点の位置が青表示となっている領域内に存在しているときに、例えば、滅点副画素１３ｍを行方向から挟み込む２つの副画素１３Ｗの合計輝度が滅点を補う大きさとなるように、当該２つの副画素１３Ｗに対応する映像信号２０Ａに対して補正を行うようになっている。なお、白色光は、色光３原色全てを加法混色することにより得られる色光であることから、滅点副画素１３ｍの周囲から発せられる白色光により、滅点が補われる。
【００７６】
［効果］
次に、本変形例の表示装置２の効果について説明する。本変形例では、発光色の互いに異なる４種類の副画素１３（１３Ｒ，１３Ｇ，１３Ｂ，１３Ｗ）が表示画素１４ごとに設けられている。これにより、滅点の副画素１３が存在する場合に、行方向において滅点の副画素１３に隣接または近接する複数の副画素１３に対して滅点を補う補正のなされたパルスを印加することで、滅点が目立たないようにすることができる。つまり、本変形例では、画素回路１２を従来の構成から改変する必要はなく、しかも、滅点の周囲の輝度だけが変調されて、滅点が逆に目立ってしまうということもない。従って、画素回路１２を複雑にすることなく、滅点補正をすることができる。
【００７７】
[第２変形例] 
第２の実施の形態では、表示パネル１０に含まれる複数の表示画素１４はタイル状の配列となっていたが、他の形態の配列となっていてもよい。例えば、図３９に示したように、複数の表示画素１４が行方向および列方向に２次元配置され、かつ各表示画素１４において、複数の副画素１３が行方向に配列されていてもよい。つまり、表示パネル１０に含まれる複数の副画素１３が、ストライプ配列となっていてもよい。
【００７８】
（滅点の補正方法）
次に、補正信号２６Ａを用いた滅点の補正方法について説明する。映像信号処理回路２２は、滅点の位置情報を示す補正信号２６Ａを滅点検出回路２６から受信すると（つまり、滅点の副画素１３が存在する場合に）、滅点の副画素１３を行方向から挟み込む複数の副画素１３に対応する映像信号２０Ａに対して、滅点を補う補正を行うようになっている。例えば、映像信号処理回路２２は、ある領域で複数の副画素１３を用いて単色表示をさせている時に、単色表示の領域内に滅点が存在することを示す補正信号２６Ａを滅点検出回路２６から受信すると、行方向において滅点の副画素１３に隣接または近接する複数の副画素１３に対応する映像信号２０Ａに対して、滅点を補う補正を行うようになっている。データ線駆動回路２３は、映像信号処理回路２２から入力された、滅点を補う補正のなされた映像信号２２Ａに対応するアナログの信号電圧２３Ａ（パルス）を、行方向において滅点の副画素１３に隣接または近接する複数の副画素１３に対して印加するようになっている。
【００７９】
より具体的には、映像信号処理回路２２は、滅点の位置情報を示す補正信号２６Ａを滅点検出回路２６から受信すると、行方向において滅点の副画素１３に隣接または近接すると共に、滅点を補う補正のなされたパルスが印加される複数の副画素１３（補正対象の副画素１３）の合計輝度が滅点を補う大きさとなるように、補正対象の副画素１３に対応する映像信号２０Ａに対して補正を行うようになっている。例えば、映像信号処理回路２２は、ある領域で複数の副画素１３を用いて単色表示をさせている時に、単色表示の領域内に滅点が存在することを示す補正信号２６Ａを滅点検出回路２６から受信すると、行方向において滅点の副画素１３に隣接または近接すると共に、滅点を補う補正のなされたパルスが印加される複数の副画素１３（補正対象の副画素１３）の合計輝度が滅点を補う大きさとなるように、補正対象の副画素１３に対応する映像信号２０Ａに対して補正を行うようになっている。ここで、「滅点を補う大きさ」は、滅点の副画素１３が発光可能であった場合の当該副画素１３の発光輝度と同一またはほぼ同一の大きさとなっていることが好ましい。
【００８０】
図４０は、滅点が存在している場合に、滅点を含む表示領域において各副画素１３Ｂおよび各副画素Ｙが発光し、その表示領域が白表示となっている様子を模式的に表したものである。図３０のような滅点が生じているとき、観察者には、図６（Ａ）に示したような黒色のドットが滅点として観察される。このとき、映像信号処理回路２２は、滅点の位置情報を示す補正信号２６Ａを滅点検出回路２６から受信すると、例えば、図４１に示したように、その位置情報に対応する副画素１３（滅点副画素１３ｍ）を含む表示画素１４（滅点画素１４ｍ）に含まれる副画素１３と、行方向において滅点副画素１３ｍに隣接または近接する表示画素１４（隣接画素１４ｎ）に含まれる副画素１３に対応する映像信号２０Ａに対して、滅点を補う補正を行うようになっている。滅点を補う補正が行われることにより、観察者には、図６（Ｂ）に示したように黒色のドットが視認されなくなる。
【００８１】
映像信号処理回路２２は、補正信号２６Ａが示す滅点の位置が白表示となっている領域内に存在しているときに、例えば、図４１に示したように、滅点副画素１３ｍを行方向から挟み込む２つの副画素１３が滅点を補う輝度で点灯するように、当該２つの副画素１３に対応する映像信号２０Ａに対して補正を行うようになっている。具体的には、映像信号処理回路２２は、補正信号２６Ａが示す滅点の位置が白表示となっている領域内に存在しているときに、例えば、図４１に示したように、滅点副画素１３ｍを行方向から挟み込む２つの副画素１３の合計輝度が滅点を補う大きさとなるように、当該２つの副画素１３に対応する映像信号２０Ａに対して補正を行うようになっている。
【００８２】
ところで、補正対象の２つの副画素１３は、色光３原色に含まれる色（赤、緑）を個別に発する副画素１３Ｒ，１３Ｇで構成されており、具体的には、１つの副画素１３Ｒおよび１つの副画素１３Ｇで構成されている。そのため、滅点副画素１３ｍの周囲からは、上記の２つの副画素１３から発せられる光が加法混色されることにより得られる色光（つまり黄色光）が生成される。その結果、滅点副画素１３ｍの周囲から発せられる黄色光により、滅点が補われる。
【００８３】
図４２は、滅点が存在している場合に、滅点を含む表示領域において各副画素１３Ｒが発光し、その表示領域が赤表示となっている様子を模式的に表したものである。図４２のような滅点が生じているとき、観察者には、図６（Ａ）に示したような黒色のドットが滅点として観察される。このとき、映像信号処理回路２２は、滅点の位置情報を示す補正信号２６Ａを滅点検出回路２６から受信すると、例えば、図４３に示したように、滅点画素１４ｍに含まれる副画素１３Ｙと、行方向において滅点副画素１３ｍに隣接する１つの表示画素１４（隣接画素１４ｎ）に含まれる副画素１３Ｙに対応する映像信号２０Ａに対して、滅点を補う補正を行うようになっている。滅点を補う補正が行われることにより、観察者には、図６（Ｂ）に示したように黒色のドットが視認されなくなる。なお、補正対象の２つの副画素１３Ｙは、加法混色により得られる色光（黄色光）を発する副画素である。
【００８４】
映像信号処理回路２２は、補正信号２６Ａが示す滅点の位置が赤表示となっている領域内に存在しているときに、例えば、図４３に示したように、滅点副画素１３ｍを行方向から挟み込む２つの副画素１３Ｙが滅点を補う輝度で点灯するように、当該２つの副画素１３Ｙに対応する映像信号２０Ａに対して補正を行うようになっている。具体的には、映像信号処理回路２２は、補正信号２６Ａが示す滅点の位置が赤表示となっている領域内に存在しているときに、例えば、滅点副画素１３ｍを行方向から挟み込む２つの副画素１３Ｙの合計輝度が滅点を補う大きさとなるように、当該２つの副画素１３Ｙに対応する映像信号２０Ａに対して補正を行うようになっている。なお、黄色光は、色光３原色のうち赤および緑を加法混色することにより得られる色光であることから、滅点副画素１３ｍの周囲から発せられる黄色光により、滅点が補われる。
【００８５】
図４４は、滅点が存在している場合に、滅点を含む表示領域において各副画素１３Ｇが発光し、その表示領域が緑表示となっている様子を模式的に表したものである。図４４のような滅点が生じているとき、観察者には、図６（Ａ）に示したような黒色のドットが滅点として観察される。このとき、映像信号処理回路２２は、滅点の位置情報を示す補正信号２６Ａを滅点検出回路２６から受信すると、例えば、図４５に示したように、滅点画素１４ｍに含まれる副画素１３Ｙと、行方向において滅点副画素１３ｍに隣接する１つの表示画素１４（隣接画素１４ｎ）に含まれる副画素１３Ｙに対応する映像信号２０Ａに対して、滅点を補う補正を行うようになっている。滅点を補う補正が行われることにより、観察者には、図６（Ｂ）に示したように黒色のドットが視認されなくなる。なお、補正対象の２つの副画素１３Ｙは、加法混色により得られる色光（黄色光）を発する副画素である。
【００８６】
映像信号処理回路２２は、補正信号２６Ａが示す滅点の位置が緑表示となっている領域内に存在しているときに、例えば、図４５に示したように、滅点副画素１３ｍを行方向から挟み込む２つの副画素１３Ｙが滅点を補う輝度で点灯するように、当該２つの副画素１３Ｙに対応する映像信号２０Ａに対して補正を行うようになっている。具体的には、映像信号処理回路２２は、補正信号２６Ａが示す滅点の位置が緑表示となっている領域内に存在しているときに、例えば、滅点副画素１３ｍを行方向から挟み込む２つの副画素１３Ｙの合計輝度が滅点を補う大きさとなるように、当該２つの副画素１３Ｙに対応する映像信号２０Ａに対して補正を行うようになっている。なお、黄色光は、色光３原色のうち赤および緑を加法混色することにより得られる色光であることから、滅点副画素１３ｍの周囲から発せられる黄色光により、滅点が補われる。
【００８７】
［効果］
次に、本変形例の表示装置２の効果について説明する。本変形例では、発光色の互いに異なる４種類の副画素１３（１３Ｒ，１３Ｇ，１３Ｂ，１３Ｙ）が表示画素１４ごとに設けられている。これにより、滅点の副画素１３が存在する場合に、行方向において滅点の副画素１３に隣接または近接する複数の副画素１３に対して滅点を補う補正のなされたパルスを印加することで、滅点が目立たないようにすることができる。つまり、本変形例では、画素回路１２を従来の構成から改変する必要はなく、しかも、滅点の周囲の輝度だけが変調されて、滅点が逆に目立ってしまうということもない。従って、画素回路１２を複雑にすることなく、滅点補正をすることができる。
【００８８】
[第３変形例] 
第１変形例および第２変形例において、表示パネル１０に含まれる複数の表示画素１４がストライプ配列となっていたが、例えば、図４６、図４７に示したようにデルタ配列となっていてもよい。
【００８９】
以上の各種態様をまとめたものを図４８に示した。
【００９０】
＜３．モジュールおよび適用例＞
以下、上記実施の形態およびその変形例で説明した表示装置１，２の適用例について説明する。表示装置１，２は、テレビジョン装置、デジタルカメラ、ノート型パーソナルコンピュータ、携帯電話等の携帯端末装置あるいはビデオカメラなど、外部から入力された映像信号あるいは内部で生成した映像信号を、画像あるいは映像として表示するあらゆる分野の電子機器の表示装置に適用することが可能である。
【００９１】
［モジュール］
表示装置１，２は、例えば、図４９に示したようなモジュールとして、後述する適用例１〜５などの種々の電子機器に組み込まれる。このモジュールは、例えば、基板の一辺に、表示パネル１０を封止する封止用基板から露出した領域２１０を設け、この露出した領域２１０に、タイミング生成回路２１、映像信号処理回路２２、データ線駆動回路２３、ゲート線駆動回路２４およびドレイン線駆動回路２５の配線を延長して外部接続端子（図示せず）を形成したものである。外部接続端子には、信号の入出力のためのフレキシブルプリント配線基板（ＦＰＣ；Flexible Printed Circuit）２２０が設けられていてもよい。
【００９２】
［適用例１］
図５０は、表示装置１，２が適用されるテレビジョン装置の外観を表したものである。このテレビジョン装置は、例えば、フロントパネル３１０およびフィルターガラス３２０を含む映像表示画面部３００を有しており、この映像表示画面部３００は、表示装置１，２により構成されている。
【００９３】
［適用例２］
図５１は、表示装置１，２が適用されるデジタルカメラの外観を表したものである。このデジタルカメラは、例えば、フラッシュ用の発光部４１０、表示部４２０、メニュースイッチ４３０およびシャッターボタン４４０を有しており、その表示部４２０は、表示装置１，２により構成されている。
【００９４】
［適用例３］
図５２は、表示装置１，２が適用されるノート型パーソナルコンピュータの外観を表したものである。このノート型パーソナルコンピュータは、例えば、本体５１０，文字等の入力操作のためのキーボード５２０および画像を表示する表示部５３０を有しており、その表示部５３０は、表示装置１，２により構成されている。
【００９５】
［適用例４］
図５３は、表示装置１，２が適用されるビデオカメラの外観を表したものである。このビデオカメラは、例えば、本体部６１０，この本体部６１０の前方側面に設けられた被写体撮影用のレンズ６２０，撮影時のスタート／ストップスイッチ６３０および表示部６４０を有しており、その表示部６４０は、表示装置１，２により構成されている。
【００９６】
［適用例５］
図５４は、表示装置１，２が適用される携帯電話機の外観を表したものである。この携帯電話機は、例えば、上側筐体７１０と下側筐体７２０とを連結部（ヒンジ部）７３０で連結したものであり、ディスプレイ７４０，サブディスプレイ７５０，ピクチャーライト７６０およびカメラ７７０を有している。そのディスプレイ７４０またはサブディスプレイ７５０は、表示装置１，２により構成されている。
【００９７】
以上、実施の形態、変形例および適用例（以下、「実施の形態等」と称する。）を挙げて本技術を説明したが、本技術はそれらに限定されるものではなく、種々変形が可能である。
【００９８】
例えば、実施の形態等では、表示装置がアクティブマトリクス型である場合について説明したが、アクティブマトリクス駆動のための画素回路１２の構成は上記実施の形態等で説明したものに限られない。従って、必要に応じて容量素子やトランジスタを画素回路１２に追加することが可能である。その場合、画素回路１２の変更に応じて、上述したタイミング生成回路２１、映像信号処理回路２２、データ線駆動回路２３、ゲート線駆動回路２４、ドレイン線駆動回路２５および滅点検出回路２６のほかに、必要な駆動回路を追加してもよい。
【００９９】
また、実施の形態等では、駆動回路２０が表示パネル１０をアナログ駆動するようになっている場合について説明したが、駆動回路２０が表示パネル１０をデジタル駆動するようになっていてもよい。ただし、この場合には、ＰＷＭで階調表示を行うことが必要である。そのためには、映像信号処理回路２２が、映像信号２０Ａに対して所定の補正を行うと共に、補正した後の映像信号に対してＰＷＭを行い、それにより得られた信号データ（ビットパルス）をデータ線駆動回路２３に出力するようになっていることが好ましい。さらに、各表示画素１１が、対応する１本の走査線が選択されたとき、対応するデータ線に供給された信号データ（ビットパルス）の書込みに応じて発光状態または消光状態となり、その後、当該走査線が非選択となっても、書込みによる発光状態または消光状態が継続するようになっていることが好ましい。例えば、各表示画素１１が、有機ＥＬ素子を含むメモリ内蔵の画素となっていることが好ましい。
【０１００】
また、実施の形態等では、データ線駆動回路２３、ゲート線駆動回路２４、ドレイン線駆動回路２５および滅点検出回路２６の駆動をタイミング生成回路２１および映像信号処理回路２２が制御していたが、他の回路がこれらの駆動を制御するようにしてもよい。また、データ線駆動回路２３、ゲート線駆動回路２４、ドレイン線駆動回路２５および滅点検出回路２６の制御は、ハードウェア（回路）で行われていてもよいし、ソフトウェア（プログラム）で行われていてもよい。
【０１０１】
また、実施の形態等では、書込トランジスタＴｗｓのソースおよびドレインや、駆動トランジスタＴｄｒのソースおよびドレインが固定されたものとして説明されていたが、いうまでもなく、電流の流れる向きによっては、ソースとドレインの対向関係が上記の説明とは逆になることがある。
【０１０２】
また、実施の形態等では、書込トランジスタＴｗｓおよび駆動トランジスタＴｄｒがｎチャネルＭＯＳ型のＴＦＴにより形成されているものとして説明されていたが、書込トランジスタＴｗｓおよび駆動トランジスタＴｄｒの少なくとも一方がｐチャネルＭＯＳ型のＴＦＴにより形成されていてもよい。なお、駆動トランジスタＴｄｒがｐチャネルＭＯＳ型のＴＦＴにより形成されている場合には、上記実施の形態等において、有機ＥＬ素子１１のアノード３５Ａがカソードとなり、有機ＥＬ素子１１のカソード３５Ｂがアノードとなる。また、上記実施の形態等において、書込トランジスタＴｗｓおよび駆動トランジスタＴｄｒは、常に、アモルファスシリコン型のＴＦＴやマイクロシリコン型のＴＦＴである必要はなく、例えば、低温ポリシリコン型のＴＦＴであってもよい。
【０１０３】
また、実施の形態等では、各表示画素１４が、４種類の副画素１３を有している場合について説明したが、各表示画素１４は、４種類以上の副画素１３を有していてもよい。
【０１０４】
また、例えば、本技術は以下のような構成を取ることができる。
（１）
発光色の互いに異なる４種類以上の副画素を画素ごとに有する表示パネルと、
映像信号に基づくパルスを各副画素に印加すると共に、滅点の副画素が存在する場合にその副画素に隣接または近接する複数の副画素に対して滅点を補う補正のなされたパルスを印加する駆動回路と
を備えた
表示装置。
（２）
前記駆動回路は、滅点の副画素に隣接または近接すると共に、滅点を補う補正のなされたパルスが印加される複数の副画素の合計輝度が滅点を補う大きさとなるように補正のなされたパルスを、滅点の副画素に隣接または近接する複数の副画素に対して印加する
（１）に記載の表示装置。
（３）
前記駆動回路は、滅点の副画素に隣接または近接すると共に、滅点を補う補正のなされたパルスが印加される複数の副画素の合計輝度が当該滅点の副画素が発光可能であった場合の当該副画素の発光輝度と同一またはほぼ同一となるように補正のなされたパルスを、滅点の副画素に隣接または近接する複数の副画素に対して印加する
（２）に記載の表示装置。
（４）
各画素は、４種類以上の副画素として、色光３原色を個別に発する３つの第１副画素と、加法混色により得られる色光を発する１または複数の第２副画素とを有する
（１）ないし（３）のいずれか１つに記載の表示装置。
（５）
前記駆動回路は、滅点を含む領域で前記第１副画素を用いて単色表示をさせている時に、滅点の副画素に隣接または近接する複数の第２副画素に対して前記補正のなされたパルスを印加する
（４）に記載の表示装置。
（６）
前記駆動回路は、滅点を含む領域で前記第２副画素を用いて単色表示をさせている時に、滅点の副画素に隣接または近接する複数の第１副画素に対して前記補正のなされたパルスを印加する
（４）に記載の表示装置。
（７）
前記駆動回路は、滅点を含む領域で１つの種類の第１副画素と１つの種類の第２副画素とを用いて単色表示をさせている時に、滅点の副画素に隣接または近接するとともに前記単色表示に不使用の複数の第１副画素に対して前記補正のなされたパルスを印加する
（４）に記載の表示装置。
（８）
前記表示パネルに含まれる複数の画素が２次元配置され、かつ各画素においても、複数の副画素が２次元配置されている
（１）ないし（７）のいずれか１つに記載の表示装置。
（９）
前記複数の副画素は、同一種類の副画素同士が互いに隣接しないように配置されている
（８）に記載の表示装置。
（１０）
前記表示パネルに含まれる複数の画素が行方向および列方向に２次元配置され、かつ各画素において、複数の副画素が行方向に配列され、
前記駆動回路は、滅点の副画素が存在する場合に、前記滅点の副画素を行方向から挟み込む複数の副画素に対して滅点を補う補正のなされたパルスを印加する
（１）ないし（７）のいずれか１つに記載の表示装置。
（１１）
表示装置を備え、
前記表示装置は、
発光色の互いに異なる４種類以上の副画素を画素ごとに有する表示パネルと、
映像信号に基づくパルスを各副画素に印加すると共に、滅点の副画素が存在する場合にその副画素に隣接または近接する複数の副画素に対して滅点を補う補正のなされたパルスを印加する駆動回路と
を有する
電子機器。
【符号の説明】
【０１０５】
１，２…表示装置、１０…表示パネル、１０Ａ…表示領域、１１，１１Ｒ，１１Ｇ，１１Ｂ，１１Ｗ，１１Ｙ…有機ＥＬ素子、１２…画素回路、１３，１３Ｒ，１３Ｇ，１３Ｂ，１３Ｗ，１３Ｙ…副画素、１３ｍ…滅点副画素、１４…表示画素、１４ｍ…滅点画素、１４ｎ…隣接画素、２０…駆動回路、２０Ａ…映像信号、２０Ｂ…同期信号、２１…タイミング生成回路、２１Ａ…制御信号、２２…映像信号処理回路、２２Ａ…信号電圧、２３…データ線駆動回路、２３Ａ…信号電圧、２４…ゲート線駆動回路、２５…ドレイン線駆動回路、２６…滅点検出回路、２６Ａ…補正信号、２６−１…発光電流検出部、２６−２…電流計算部、２６−３…滅点検出部、２１０…領域、２２０…ＦＰＣ、３００…映像表示画面部、３１０…フロントパネル、３２０…フィルターガラス、４１０…発光部、４２０，５３０，６４０…表示部、４３０…メニュースイッチ、４４０…シャッターボタン、５１０…本体、５２０…キーボード、６１０…本体部、６２０…レンズ、６３０…スタート／ストップスイッチ、７１０…上側筐体、７２０…下側筐体、７３０…連結部、７４０…ディスプレイ、７５０…サブディスプレイ、７６０…ピクチャーライト、７７０…カメラ、Ｃｓ…保持容量、ＣＴＬ…カソード線、ＤＳＬ…ドレイン線、ＤＴＬ…データ線、Ｔｄｒ…駆動トランジスタ、Ｔｗｓ…書込トランジスタ、ＷＳＬ…ゲート線。
【図１】
2013120321.tif 000003
【図２】
2013120321.tif 000004
【図３】
2013120321.tif 000005
【図４】
2013120321.tif 000006
【図５】
2013120321.tif 000007
【図６】
2013120321.tif 000008
【図７】
2013120321.tif 000009
【図８】
2013120321.tif 000010
【図９】
2013120321.tif 000011
【図１０】
2013120321.tif 000012
【図１１】
2013120321.tif 000013
【図１２】
2013120321.tif 000014
【図１３】
2013120321.tif 000015
【図１４】
2013120321.tif 000016
【図１５】
2013120321.tif 000017
【図１６】
2013120321.tif 000018
【図１７】
2013120321.tif 000019
【図１８】
2013120321.tif 000020
【図１９】
2013120321.tif 000021
【図２０】
2013120321.tif 000022
【図２１】
2013120321.tif 000023
【図２２】
2013120321.tif 000024
【図２３】
2013120321.tif 000025
【図２４】
2013120321.tif 000026
【図２５】
2013120321.tif 000027
【図２６】
2013120321.tif 000028
【図２７】
2013120321.tif 000029
【図２８】
2013120321.tif 000030
【図２９】
2013120321.tif 000031
【図３０】
2013120321.tif 000032
【図３１】
2013120321.tif 000033
【図３２】
2013120321.tif 000034
【図３３】
2013120321.tif 000035
【図３４】
2013120321.tif 000036
【図３５】
2013120321.tif 000037
【図３６】
2013120321.tif 000038
【図３７】
2013120321.tif 000039
【図３８】
2013120321.tif 000040
【図３９】
2013120321.tif 000041
【図４０】
2013120321.tif 000042
【図４１】
2013120321.tif 000043
【図４２】
2013120321.tif 000044
【図４３】
2013120321.tif 000045
【図４４】
2013120321.tif 000046
【図４５】
2013120321.tif 000047
【図４６】
2013120321.tif 000048
【図４７】
2013120321.tif 000049
【図４８】
2013120321.tif 000050
【図４９】
2013120321.tif 000051
【図５０】
2013120321.tif 000052
【図５１】
2013120321.tif 000053
【図５２】
2013120321.tif 000054
【図５３】
2013120321.tif 000055
【図５４】
2013120321.tif 000056